(57)【要約】      （修正有） 【課題】後頭部の適切な箇所をマッサージできるマッサージ器を提供する。【解決手段】基台部４と、前記基台部上に連結材を介して可動可能に連結された可動部５と、前記可動部に螺合された高さ調節部６と、前記可動部上に幅調節部８を介して設置された指圧部７と、前記基台部上の可動部、高さ調節部及び指圧部を覆い前記基台部を底面として箱形に収納する蓋部２とからなることを特徴とする後頭部用マッサージ器と、ネジ山の方向が異なる２種類の調節ネジ部６ｂからなる高さ調節部とからなることを特徴とする後頭部用マッサージ器と、左右ネジ山のネジ山方向が異なる幅調節棒８ａからなる幅調節部８とにより後頭部用マッサージ器を構成する。【選択図】図１
0003145223.tif 000002
【実用新案登録請求の範囲】
【請求項１】
基台部と、前記基台部上に一方の辺が可動可能に連結材で連結した可動部と、前記可動部の他方に螺合された調節ネジ及び前記調節ネジ上部に取り付けられた握り部よりなり、調節ネジを回転させることで前記調節ネジが上下し、前記可動部の高さを調節する高さ調節部と、前記可動部上に起立する左右支持部、前記左右支持部に挿通する棒状のネジ山方向が異なる左右ネジ山を有する幅調節部、前記幅調節部を挿通し、前記左右ネジ山に位置する左右指圧球体よりなり、前記幅調節部を回転させて前記左右指圧球体が前記可動部上を内側、外側に移動する指圧部とからなることを特徴とする後頭部用マッサージ器。
【請求項２】
高さ調節部が、左右２つあり、それらの調節ネジのネジ山の方向が異なることを特徴とする請求項１に記載の後頭部用マッサージ器。
【請求項３】
前記可動部、高さ調節部及び指圧部を前記基台部とで覆う蓋部を有することを特徴とする請求項１又は請求項２に記載の後頭部用マッサージ器。
【考案の詳細な説明】
【技術分野】
【０００１】
本考案は、特に、後頭部をマッサージするための後頭部用マッサージ器に関する考案である。
【背景技術】
【０００２】
従来、後頭部をマッサージするためのマッサージ器具としては電気制御されたものや、一定の形状を維持した手動式のものがあった。また、首部をマッサージする器具は、存在していた。
【０００３】
しかしながら、従来の後頭部用マッサージ器は一定の動きをするだけで実際にマッサージを要する箇所には届かず、後頭部の十分なマッサージ効果が得られなかった。また、従来から首部をマッサージする器具では、適切に後頭部のマッサージをすることは不可能であった。
【特許文献１】特開平８−１３１４９３
【特許文献２】特開平１０−１３７０９５
【考案の開示】
【考案が解決しようとする課題】
【０００４】
そこで、本考案は、首筋の後部上下箇所及びその左右並びに後頭部全体に対してマッサージを要する箇所を探し当てることができ十分なマッサージ効果を得ることができる後頭部用マッサージ器を提供することを目的とするものである。
【課題を解決するための手段】
【０００５】
本考案は、上記の課題を解決するために、基台部４と、前記基台部４上に連結材９を介して可動可能に連結された可動部５と、前記可動部５に螺合された高さ調節部６と、前記可動部５上に幅調節部８を介して設置された指圧部７と、前記基台部４上の可動部５、高さ調節部６及び指圧部７を覆い前記基台部４を底面として箱形に収納する蓋部２とからなることを特徴とする後頭部用マッサージ器１の構成とした。
【考案の効果】
【０００６】
本考案の後頭部用マッサージ器は指圧部を上下左右に移動させることができるため実際にマッサージを要する箇所に十分なマッサージ効果を与えることができる。
【０００７】
また、自身の頭の重さで押圧効果が得られるため、必要以上の押圧力がかからず揉み返しなどの心配がなく、十分なマッサージ効果を得ることができる。
【考案を実施するための最良の形態】
【０００８】
マッサージを要する箇所への十分なマッサージ効果を得るという目的を、上下左右可動可能な指圧部をつけることによって実現した。
【実施例１】
【０００９】
図１は本考案である後頭部用マッサージ器の斜視図である。図１に示すように、本考案である後頭部用マッサージ器１は、蓋部２と蓋部２に内包されるマッサージ部３とからなる。
【００１０】
前記蓋部２は、箱形で底面のない箱本体２ａからなる。マッサージ部３は、略長方形状の基台本体４ａからなる基台部４と、基台本体４ａの上面中央に連結材９を介して設置され前面に幅の広い連結部５ｂを備えた背面側に調節孔５ｇ、５ｇを穿設した略長方形状の可動部本体５ａと可動部本体５ａの左右端に垂設され孔５ｅを穿設した左右支持部５ｃ、５ｄからなる可動部５と、可動部５の調節孔５ｇに螺合される調節ネジ６ｂと調節ネジ６ｂの上部に取り付けられた握り部６ａからなる高さ調節部６と、可動部本体５ａ上に指圧基台７ｂを介して設置され調節孔７ｃと孔７ｄを穿設した指圧球体７ａからなる指圧部７と、左右支持部５ｃ、５ｄの孔５ｅ及び指圧球体７ａの調節孔７ｃに螺合される幅調節棒８ａと幅調節棒８ａの左右端に取り付けられる左右握り部８ｄ、８ｅからなる幅調節部８とからなる。
【００１１】
可動部５、高さ調節部６、左右指圧球体７ａ、７ａからなる指圧部７、幅調節部８は、蓋部２の中に収まる大きさである。即ち、基台部４以外は箱部２内に収まり、箱部２を被せた状態では略直方体状をしている。
【００１２】
図２は本考案である後頭部用マッサージ器のマッサージ部の正面図、図３は後頭部用マッサージ器のマッサージ部の平面図、図４は後頭部用マッサージ器のマッサージ部の左側面図、図５は後頭部用マッサージ器のマッサージ部の背面図、図６は後頭部用マッサージ器のマッサージ部の分解斜視図である。
【００１３】
図２から図６に示すように、可動部５の前面に形成された連結部５ｂには連結孔５ｆが穿設されており、また基台本体４ａの前面側には孔４ｂが穿設されており、可動部５と基台部４は連結孔５ｆと孔４ｂを連結材９を介して可動可能に連結されている。
【００１４】
本考案では連結材９を特にひも状のものとしたが、この連結材９はひも状のものに限定したわけではなく、基台部４と可動部５が可動可能に連結されるものであればリング状のものであってもよく、また蝶番などを使用しても良い。尚、材質等も限定してはいない。
【００１５】
可動部５の背面側には調節孔５ｇ、５ｇが穿設されており、調節孔５ｇの内側はネジ山が施されている。更に調節孔５ｇには調節ネジ部６ｂが螺合されており、調節ネジ部６ｂを回転させることにより、調節孔５ｇの下に調節ネジ部６ｂの先端が出る仕組みになっている。
【００１６】
そのため、調節ネジ部６ｂの先端が基台本体４ａに当たり、調節ネジ部６ｂの先端を調節孔５ｇの下側に出すことによって可動部５の背面側が持ち上がり可動部５に傾斜を持たせることができる。そして可動部５ａが傾斜することにより可動部５上の指圧部７も上下動することができる。
【００１７】
また、２つの調節ネジ部６ｂの表面に施されているネジ山はそれぞれ方向が逆になっており、人間の手の動きを考慮し２つの握り部６ａを外側から内側に向けて回転させる場合も内側から外側に向けて回転させる場合も常に可動部５の背面側が左右水平を保ったまま上下に可動できるようにした。これにより可動部５上の指圧部７が常に左右水平を保ち上下動できる。
【００１８】
幅調節部８の幅調節棒８ａは右支持部５ｄの孔５ｅから２つの指圧球体７ａ、７ａに穿設された調節孔７ｃ、７ｃと螺合され、左支持部５ｃの孔５ｅに挿通されており、左右端は左右握り部８ｄ、８ｅによって留められている。
【００１９】
幅調節部８の幅調節棒８ａ表面には左右ネジ山８ｂ、８ｃが施されており、左右ネジ山８ｂ、８ｃはネジ山の向きが逆になっている。左右ネジ山８ｂ、８ｃにはそれぞれ左指圧球体７及び右指圧球体７ａが螺合されている。
【００２０】
前述のように幅調節棒８ａの左右ネジ山８ｂ、８ｃが逆方向を向いているため、幅調節棒８ａを回転させた場合、当然に左右のネジ山８ｂ、８ｃは逆の動きをする。そのため、左右ネジ山８ｂ、８ｃに螺合されている指圧球体７も逆の動きをし、幅調節棒８ａの回転方向により、左指圧球体７ａと右指圧球体７ａ同士の幅が狭くなったり、広くなったりする。
【００２１】
図７は、本考案である後頭部用マッサージ器のマッサージ部の左側面図である。前述のように、高さ調節部６を回転させて可動部５の背面側を持ち上げ可動部５の傾斜を変えることができ、可動部５の傾斜角度を変えることにより、可動部５上に設置された指圧球体７の高さを変えることができる。指圧球体７ａは球体であるためどの高さに変わっても使用者のマッサージ部位への指圧角度が一定であり、使用者に合わせたマッサージが可能となる。
【００２２】
左右指圧球体７ａ、７ａには、摩擦等により発生熱が蓄えられる。この発生熱を効率よく抑制するために、指圧球体７ａには複数の円形状の孔７ｄを穿設した。孔７ｄをもうけることで、外部空気と接触する指圧球体７ａの表面積が広くなり、指圧球体７ａに蓄えられた熱が外部空気と自然熱交換され拡散し、指圧球体７ａ内の蓄熱が抑制される。
【図面の簡単な説明】
【００２３】
【図１】本考案である後頭部用マッサージ器の斜視図である。
【図２】本考案である後頭部用マッサージ器のマッサージ部の正面図である。
【図３】本考案である後頭部用マッサージ器のマッサージ部の平面図である。
【図４】本考案である後頭部用マッサージ器のマッサージ部の左側面図である。
【図５】本考案である後頭部用マッサージ器のマッサージ部の背面図である。
【図６】本考案である後頭部用マッサージ器のマッサージ部の分解斜視図である。
【図７】本考案である後頭部用マッサージ器のマッサージ部の左側面図である。
【符号の説明】
【００２４】
１      後頭部用マッサージ器
２      蓋部
２ａ    箱本体
３      マッサージ部
４      基台部
４ａ    基台本体
４ｂ    孔
５      可動部
５ａ    可動部本体
５ｂ    連結部
５ｃ    左支持部
５ｄ    右支持部
５ｅ    孔
５ｆ    連結孔
５ｇ    調節孔
６      高さ調節部
６ａ    握り部
６ｂ    調節ネジ部
７      指圧部
７ａ    指圧球体
７ｂ    指圧基台
７ｃ    調節孔
７ｄ    孔
８      幅調節部
８ａ    幅調節棒
８ｂ    左ネジ山
８ｃ    右ネジ山
８ｄ    左握り部
８ｅ    右握り部
９      連結材
【図１】
0003145223.tif 000003
【図２】
0003145223.tif 000004
【図３】
0003145223.tif 000005
【図４】
0003145223.tif 000006
【図５】
0003145223.tif 000007
【図６】
0003145223.tif 000008
【図７】
0003145223.tif 000009